(57)【要約】【課題】ブレスレットを形成する引裂線を備えたブレスレットのテープを提供する。【解決手段】縦方向の一連の対称な識別用ブレスレットを輪郭で形成する引裂線を構成する弱化線を含む可撓性で延伸不能な刷り込み可能テープ。各ブレスレットは、矩形刷り込み可能部分、刷り込み可能部分の一端の第１の細長いストラップ部分、及び反対端の第２の細長いストラップ部分を有する。刷り込み可能部分は、テープの幅に等しい幅を有する。第１のストラップ部分は、テープの側縁の一方に整列した縦方向縁部と、弱化線の１つによって形成された反対側の縦方向縁部とを有する。第２のストラップ部分は、第１のストラップ部分に対してテープの反対側の側縁に整列した縦方向縁部と、弱化線の別の１つによって形成された反対側の縦方向縁部とを有する。【選択図】図１
2008500875.tif 000002
【特許請求の範囲】
【請求項１】
平行な側縁を有する可撓性で実質的に延伸不能な刷り込み可能テープであって、
縦方向の一連の識別用ブレスレットを輪郭で形成する引裂線を成す弱化線を有し、
各ブレスレットは、ほぼ矩形の刷り込み可能部分と、該刷り込み可能部分の一端の第１の細長いストラップ部分と、該刷り込み可能部分の反対端の第２の細長いストラップ部分とを有し、
前記刷り込み可能部分は、テープの幅に等しい幅のものであり、前記第１及び第２の部分の各々は、テープの幅よりも実質的に小さい幅を有し、
前記第１のストラップ部分は、テープの側縁の一方に整列した縦方向縁部を有し、かつ前記弱化線の１つによって形成された反対側の縦方向縁部を有し、前記第２のストラップ部分は、該第１のストラップ部分に対してテープの反対側の側縁に整列した縦方向縁部を有し、かつ該弱化線の別の１つによって形成された反対側の縦方向縁部を有し、
テープにおける各ブレスレットは、テープのどの部分も無駄にならないように対称である、
ことを特徴とするテープ。
【請求項２】
前記刷り込み可能及び第１のストラップ部分は、テープの共通縁部を共有していることを特徴とする請求項１に記載のテープ。
【請求項３】
前記刷り込み可能及び第２のストラップ部分は、テープの反対側の共通縁部を共有していることを特徴とする請求項２に記載のテープ。
【請求項４】
前記ブレスレットは、少なくとも１つのブレスレットの前記第１のストラップ部分が、隣接するブレスレットの前記第２のストラップ部分に隣接してそれと平行であるように整列していることを特徴とする請求項１に記載のテープ。
【請求項５】
前記第１及び第２のストラップ部分は、前記弱化線によって分離されていることを特徴とする請求項４に記載のテープ。
【請求項６】
前記弱化線は、ほぼテープの縦方向中線に沿って延びていることを特徴とする請求項５に記載のテープ。
【請求項７】
前記第１及び第２のストラップ部分は、ほぼ等しい長さのものであることを特徴とする請求項１に記載のテープ。
【請求項８】
巻かれてコイルにされていることを特徴とする請求項１に記載のテープ。
【請求項９】
各ブレスレットの前記第１のストラップ部分は、該第１及び第２のストラップ部分を作動的に連結するための手段を含むことを特徴とする請求項１に記載のテープ。
【請求項１０】
前記連結手段は、少なくとも１つの孔を含むことを特徴とする請求項９に記載のテープ。
【請求項１１】
前記第２のストラップ部分は、複数の縦方向に延びた孔を含むことを特徴とする請求項１０に記載のテープ。
【請求項１２】
前記第１のストラップ部分は、複数の縦方向に延びた孔を含むことを特徴とする請求項１１に記載のテープ。
【請求項１３】
前記弱化線は、テープを部分的に通って延びるダイカットであることを特徴とする請求項１に記載のテープ。
【請求項１４】
各ブレスレットに付随する機械可読無線ＩＣタグチップを含むことを特徴とする請求項１に記載のテープ。
【請求項１５】
前記チップに作動的に連結したアンテナを含むことを特徴とする請求項１４に記載のテープ。
【請求項１６】
各ブレスレットに付随するカードを含むことを特徴とする請求項１に記載のテープ。
【請求項１７】
前記カードに組み込まれた機械可読無線ＩＣタグチップ及びアンテナを含むことを特徴とする請求項１６に記載のテープ。
【請求項１８】
平行な側縁を有する可撓性で実質的に延伸不能な刷り込み可能テープであって、
縦方向の一連の識別用ブレスレットを輪郭で形成する引裂線を成す弱化線を有し、
各ブレスレットは、機械可読無線ＩＣタグチップと、該チップに作動的に連結したアンテナと、ほぼ矩形の刷り込み可能部分と、該刷り込み可能部分の一端の第１の細長いストラップ部分と、該刷り込み可能部分の反対端の第２の細長いストラップ部分とを有し、
前記刷り込み可能部分は、テープの幅に等しい幅のものであり、前記第１及び第２の部分の各々は、テープの幅よりも実質的に小さい幅を有し、
前記第１のストラップ部分は、テープの側縁の一方に整列した縦方向縁部を有し、かつ前記弱化線の１つによって形成された反対側の縦方向縁部を有し、前記第２のストラップ部分は、該第１のストラップ部分に対してテープの反対側の側縁に整列した縦方向縁部を有し、かつ該弱化線の別の１つによって形成された反対側の縦方向縁部を有し、テープにおける各ブレスレットは、テープのどの部分も無駄にならないように対称である、
ことを特徴とするテープ。
【請求項１９】
前記ブレスレットは、少なくとも１つのブレスレットの前記第１のストラップ部分が、隣接するブレスレットの前記第２のストラップ部分に隣接してそれと平行であるように整列していることを特徴とする請求項１８に記載のテープ。
【請求項２０】
前記第１及び第２のストラップ部分は、前記弱化線によって分離されていることを特徴とする請求項１９に記載のテープ。
【請求項２１】
前記第２のストラップ部分は、複数の縦方向に延びた孔を含むことを特徴とする請求項１８に記載のテープ。
【請求項２２】
前記第１のストラップ部分は、複数の縦方向に延びた孔を含むことを特徴とする請求項２１に記載のテープ。
【請求項２３】
各ブレスレットに付随し、前記機械可読無線ＩＣタグチップが組み込まれたカードを含むことを特徴とする請求項１８に記載のテープ。
【請求項２４】
平行な側縁を有するコイルに巻かれた可撓性で実質的に延伸不能な刷り込み可能テープであって、
テープを部分的に通り、かつテープに対して同じ向きを有する縦方向の一連の識別用ブレスレットを輪郭で形成するダイカット引裂線を構成するテープの縦方向中線にほぼ沿って延びる弱化線を有し、
各ブレスレットは、ほぼ矩形の刷り込み可能部分と、該刷り込み可能部分の一端の第１の細長いストラップ部分であって、該第１のストラップ部分の縦方向中線にほぼ沿って延びる複数の孔を有するものと、該刷り込み可能部分の反対端の第２の細長いストラップ部分であって、該第２のストラップ部分の縦方向中線にほぼ沿って延びる複数の孔を有するものと、カードと、該カードに組み込まれた機械可読無線ＩＣタグチップと、該チップに作動的に連結したアンテナとを有し、
前記刷り込み可能部分は、テープの幅に等しい幅のものであり、前記第１及び第２の部分の各々は、テープの幅よりも実質的に小さい幅を有し、
前記第１のストラップ部分は、テープの側縁の一方に整列した縦方向縁部を有し、かつ前記弱化線の１つによって形成された反対側の縦方向縁部を有し、前記第２のストラップ部分は、該第１のストラップ部分に対してテープの反対側の側縁に整列した縦方向縁部を有し、かつ該弱化線の別の１つによって形成された反対側の縦方向縁部を有し、テープにおける各ブレスレットは、テープのどの部分も無駄にならないように対称であり、
前記刷り込み可能及び第１のストラップ部分は、テープの共通縁部を共有し、前記刷り込み可能及び第２のストラップ部分は、テープの反対側の共通縁部を共有し、該第１及び第２のストラップ部分は、ほぼ等しい長さのものであり、かつ前記弱化線によって分離されており、前記ブレスレットは、少なくとも１つのブレスレットの該第１のストラップ部分が、隣接するブレスレットの該第２のストラップ部分に隣接してそれと平行であるように整列しており、各ブレスレットの該第１のストラップ部分は、該第１及び第２のストラップ部分を作動的に連結するための手段を含む、
ことを特徴とするテープ。
【発明の詳細な説明】
【技術分野】
【０００１】
本発明は、全体的にはブレスレットに関する。より具体的には、本発明は、ブレスレットを形成する引裂線を備えたブレスレットのテープに関する。
【背景技術】
【０００２】
スポーツ行事、病院、及び音楽コンサートなどのような様々な環境において使用することができる識別用ブレスレットに対する大きな需要がある。長年にわたり、多くのタイプの識別用ブレスレットが、これらの目的のために開発されてきた。しかし、そのようなブレスレットには、それらの使用に関連した快適性の問題及び／又は廃棄する必要がある廃棄物質が存在する。例えば、米国特許第４，９１４，８４３号は、均一幅のテープに沿って端部と端部を接して配列されたブレスレットのロールを開示している。しかし、このロールは、各ブレスレットのストラップ部分の各反対側に沿ってブレスレットから分離されて廃棄する必要がある無駄な区域を含む。別の例では、米国特許第５，７９９，４２６号は、ブレスレット全体の長さに沿って均一幅のブレスレットを開示している。しかし、その幅は、中央区域内に情報を配置するためには有用であるが、このブレスレットの幅は、着用者に不快感を起こさせ易い。別の例では、米国特許第６，０５８，６３７号は、均一幅のテープに沿って端部と端部を接して配列されたブレスレットのロールを開示している。しかし、このブレスレットのテープも、ブレスレットから分離されて処分する必要があるテープの無駄な部分を含んでいる。
【０００３】
従って、着用者に快適なフィット感を与えるブレスレットに対する必要性が存在する。更に、ロールのどの部分も無駄ならないブレスレットのロールに対する必要性が存在する。本発明は、これらの必要性を満たし、他の関連した利点を提供するものである。
【０００４】
【特許文献１】米国特許第４，９１４，８４３号
【特許文献２】米国特許第５，７９９，４２６号
【特許文献３】米国特許第６，０５８，６３７号
【発明の開示】
【０００５】
本発明は、着用者に対して快適なブレスレットを提供する。本発明は、更に、ロールのどの部分も無駄にならないブレスレットのロールを提供する。
【０００６】
可撓性で実質的に延伸不能な刷り込み可能テープの形態の本発明の実施形態は、平行な側縁を含む。このテープは、縦方向の一連の識別用ブレスレットを輪郭で形成する引裂線を成す弱化線を有する。
【０００７】
各ブレスレットは、ほぼ矩形の刷り込み可能部分と、刷り込み可能部分の一端の第１の細長いストラップ部分と、刷り込み可能部分の反対端の第２の細長いストラップ部分とを有する。刷り込み可能部分は、テープの幅に等しい幅を有し、第１及び第２の部分の各々は、テープの幅よりも実質的に小さい幅を有する。第１のストラップ部分は、テープの側縁の一方に整列した縦方向縁部と、弱化線の１つによって形成された反対側の縦方向縁部とを有する。第２のストラップ部分は、第１のストラップ部分に対してテープの反対側の側縁に整列した縦方向縁部と、弱化線の別の１つによって形成された反対側の縦方向縁部とを有する。
【０００８】
テープにおける各ブレスレットは、テープのどの部分も無駄にならないように対称的である。ブレスレットは、ほぼ端部と端部を接して整列し、少なくとも１つのブレスレットの第１のストラップ部分は、隣接するブレスレットの第２のストラップ部分にほぼ隣接してそれと平行である。テープは、巻かれてコイルにされる。
【０００９】
刷り込み可能部分と第１のストラップ部分は、テープの共通縁部を共有し、刷り込み可能部分と第２のストラップ部分は、テープの反対側の共通縁部を共有する。第１及び第２のストラップ部分は、弱化線によって分離される。弱化線は、ほぼテープの縦方向中線に沿って延びている。弱化線は、テープを部分的に通って延びるダイカットの形態とすることができる。
【００１０】
各ブレスレットの第１のストラップ部分は、第１及び第２のストラップ部分を作動的に連結するための手段を含む。連結手段は、少なくとも１つの孔を含む。
【００１１】
第１のストラップ部分は、更に、縦方向に延びる複数の孔を含む。第２のストラップ部分も、縦方向に延びる複数の孔を含む。
【００１２】
本発明の他の特徴及び利点は、本発明の原理を例示的に示す添付図面と共に以下の詳細説明から一層明らかになるであろう。
【００１３】
添付図面は、本発明を例示するものである。
【発明を実施するための最良の形態】
【００１４】
例示目的の図面に示すように、本発明は、対称的な識別用ブレスレットを形成する引裂線を備えた刷り込み可能な（人の手又は機械により）テープにある。図１及び２に示すように、テープ１０は、可撓性の細長い本体１２を含み、この本体は、本体１２における弱化線又は引裂線１６によって形成された複数のリストバンド又はブレスレット１４を含む。テープ１０は、その長さに沿って均一な幅のものであり、印しが印刷されるか（手持ち式筆記用具、例えば、ペン、鉛筆、又はマーカなど、又は従来のインクプリンタなどにより）又は他の方法でマーク付けすることができる外面を提供するために比較的薄くて丈夫な可撓性と耐延伸性のある機械刷り込み可能材料で作られる。テープ１０は、好ましくは、様々な適切な積層工程のいずれかによってプラスチック、ポリスチレン、又はポリプロピレンなどのような複数の適度に強く軽量で可撓性の積層体で製造される。他の材料としては、以下に形成されるものではないが、紙、ポリエステル、及び織り目加工ポリエチレンの三重積層体が含まれる。これらの材料は、テープ１０の表面が感熱性を有し、熱によってそれらの上に印しを作り出すことを可能にするように処理することができる。
【００１５】
ブレスレット１４は、テープ１０の本体１２全体を形成する。各ブレスレット１４は、ストラップ部分１８、タブ部分２０、及びその間の中間又は刷り込み可能部分２２を含む。各ブレスレット１４は、ほぼＳ字形状である。中間部分２２は、幅が本体１２に等しい。ストラップ部分１８及びタブ部分２０の各々は、中間部分２２又は本体１２の幅のほぼ半分の幅を有する。全てのブレスレット１４は、本体１２に対して同じ向きを有する。
【００１６】
ブレスレット１４のＳ字形状は、着用者に対して快適なフィット感を与える。本体１２のブレスレット１４は、テープ１０の長さに沿ってほぼ端部と端部を接して整列している。少なくとも１つのブレスレット１４のストラップ部分１８は、隣接するブレスレット１４のタブ部分２０とほぼ隣接してこれと平行である。中間部分２２とタブ部分２０は、本体の共通縁部２４を共有しており、中間部分２２とストラップ部分１８は、本体１２の反対側の共通縁部２６を共有している。テープ１０の長さに沿ったブレスレット１４の形状及び位置決めは、本体１２のどの部分又は材料も無駄にならないことを保証するものである。
【００１７】
テープ１０のブレスレット１４は、弱化線又は引裂線１６に沿って互いに分離可能である。引裂線１６は、本体１２を部分的に通って延びる穿孔又はダイカットである。隣接するブレスレット１４間の境界の大部分を形成するこれらの引裂線１６は、主として隣接するブレスレット１４のタブ２０及びストラップ１８部分の間に位置している。隣接するブレスレット１４間の境界の別の部分は、隣接するブレスレット１４のタブ２０及び中間２２部分の間、及びストラップ１８及び中間２２部分の間に位置する引裂線１６である。代替的に、引裂線１６は、滑らかな縁部をもたらすために切り込み又はキス・カットすることができる。引裂線１６は、テープ１０のほぼ全厚みを通して延びている。
【００１８】
テープ１０は、巻いてコイル２８にすることができる。これは、テープ１０を分配器（図示せず）内に置いて、直熱プリンタ又は熱転写プリンタなどのようなコンピュータプリンタ（図示せず）を通して供給することを可能にする。
【００１９】
ストラップ部分１８は、ストラップ部分１８の一部分に沿って縦方向に延びる複数の開口部又は孔３０を含む。孔３０は、ストラップ部分１８の縦方向中線に沿って延び、ストラップ部分１８の長さに沿って均等に離間されている。図１〜４に示すように、各ブレスレット１４のタブ部分２０は、タブ２０及びストラップ１８部分を互いに連結してブレスレット１４を閉じた構成で保持するためにコネクタ又はファスナ３２を含む。タブ部分２０の長さに沿って位置する少なくとも１つの開口部又は孔３４、好ましくは、数個の孔３４が存在する。孔３４は、タブ部分２０の縦方向中線に沿って延び、タブ部分２０の長さに沿って個別に不均等に離間されるか又はグループで均等に離間される。ファスナ３２は、識別される物体又は個人を取り囲む閉ループ構成でブレスレット１４を支持及び保持し、交換ブレスレット１４とのその後の組立て及び再使用に適応したファスナ３２は、ブレスレット１４の廃棄の前に孔３４から取外し可能である。コネクタ３２は、係止要素を含み、これは、高密度ポリエチレンのような適切なプラスチックで作られた少なくとも１つの雄部材３６と少なくとも１つの雌レセプタクル３８の形態であり、スナップファスナとして作動するが、ブレスレット１４によって識別される物体又は人との作動的関係でブレスレット１４を維持する図示しない自己係止手段を組み込んでいる。代替的に、コネクタ３２は、ブレスレット１４を一回使用に対してのみ利用可能にし、かつそれを着用者から除去するためにブレスレット１４の損傷及び／又はその破壊を必要とするように取外し不能にすることができる。
【００２０】
図４に示すように、ファスナ３２は、ファスナ３２が閉じられる時にストラップ１８及びタブ２０部分を選択された調節位置に互いに固定する。ブレスレット１４が閉じた状態で保持される程度は、例えば、着用者の手首のサイズ及びファスナ３２がどの孔３０、３４と係合するかを含むいくつかの因子に依存する。
【００２１】
情報は、各ブレスレット１４上に、主としてブレスレット１４の中間部分２２上に刷り込み可能である。ストラップ１８、タブ２０、及び中間２２部分各々の長さは、各ブレスレット１４の全長の約１／３を形成するが、部分１８、２０、２２のそれぞれの長さは変えることができる。
【００２２】
非接触式機械可読無線ＩＣタグ（ＲＦＩＤ）チップ４０は、各ブレスレット１４上に位置するか又はその内部に組み込まれている。アンテナ４２は、チップ４０に対して作動的に連結される。代替的に、チップ４０は、アンテナを含む自己完結型モジュールとすることができる。更に代替的に、アンテナ４２は、ファスナ３２に組み込まれてチップ４０に対して作動的に連結される。更に代替的に、チップ４０とアンテナ４２の両方が互いに作動的に連結され、ファスナ３２に組み込まれる。
【００２３】
図５は、ブレスレット１４の透明ポケット４６内に挿入されたカード４４を示している。カード４４は、文字、マーク、及び／又はバーコードのような可視識別用印し４８を含むことができ、ＲＦＩＤチップ５０も、カード４４内に埋め込むことができる。アンテナ５２は、チップ５０に対して作動的に連結される。
【００２４】
図６に示すように、ブレスレット１４の外部に沿ってラベル５４が接着される。ラベル５４は、文字、マーク、及び／又はバーコードのような可視識別用印し５６を含むことができ、ＲＦＩＤチップ５８も、ラベル５４内に埋め込むことができる。アンテナ６０は、チップ５８に対して作動的に連結される。代替的に、タグ又はカードなども、ブレスレット１４に接着することができる。
【００２５】
使用に際して、テープ１０は、着用者に快適なブレスレット１４を提供する。ブレスレット１４のＳ字形状は、ブレスレット１４を着用者の身体上で保持することを可能にし、同時にブレスレット１４の幅及びブレスレット１４が接触する着用者の身体の面積を最小にする。テープ１０はまた、ブレスレットのコイルロール２８を提供し、ロール２８のどの部分も無駄にならない。ブレスレット１４のＳ字形状、及び隣接するブレスレット１４のストラップ及びタブ部分１８，２０が配置される方法は、テープ１０の全体を使用することを可能にするものである。
【００２６】
本発明の上述の実施形態は、単に例示的であり、限定的ではない。従って、本発明からその広義の態様において逸脱することなく、様々な変更及び修正を為し得ることは当業者には明らかであろう。従って、特許請求の範囲は、全てのそのような変更及び修正を本発明の真の精神及び範囲に含まれるものとして網羅するものである。
【図面の簡単な説明】
【００２７】
【図１】本発明を具現化する識別用ブレスレットの図である。
【図２】本発明を具現化するブレスレットを含むテープロールの図である。
【図３】本発明を具現化する識別用ブレスレットと共に使用するためのファスナの図である。
【図４】本発明を具現化する識別用ブレスレットを閉じた構成で示した図である。
【図５】本発明を具現化する識別用ブレスレットと共に使用するためのカードの図である。
【図６】本発明を具現化する識別用ブレスレットと共に使用するためのラベルの図である。
【符号の説明】
【００２８】
１０  テープ
１２  本体
１４  ブレスレット
１６  弱化線、引裂線
【図１】
2008500875.tif 000003
【図２】
2008500875.tif 000004
【図３】
2008500875.tif 000005
【図４】
2008500875.tif 000006
【図５】
2008500875.tif 000007
【図６】
2008500875.tif 000008
【国際調査報告】
2008500875.tif 000009